(57)【要約】【課題】  本発明は、電子カメラに関し、予備撮影を短い時間で確実に行うことを目的とする。【解決手段】  撮影光学系による被写体像を光電変換して画像信号を生成する撮像素子と、前記撮像素子上の被写体像を前記撮像素子に対して相対移動させる像移動手段と、本撮影前に予備撮影を行い前記撮像素子上での被写体の動きを検出する検出手段と、前記本撮影時に前記検出手段の検出結果に基づいて前記被写体の動きを相殺するように前記像移動手段により前記撮像素子上の被写体像を移動させる補正手段と、前記本撮影の露光条件の設定により前記予備撮影の露光条件を自動的に設定する設定手段とを有することを特徴とする。【選択図】      図２
2010147661.tif 000002
【特許請求の範囲】
【請求項１】
撮影光学系による被写体像を光電変換して画像信号を生成する撮像素子と、
前記撮像素子上の被写体像を前記撮像素子に対して相対移動させる像移動手段と、
本撮影前に予備撮影を行い前記撮像素子上での被写体の動きを検出する検出手段と、
前記本撮影時に前記検出手段の検出結果に基づいて前記被写体の動きを相殺するように前記像移動手段により前記撮像素子上の被写体像を移動させる補正手段と、
前記本撮影の露光条件の設定により前記予備撮影の露光条件を自動的に設定する設定手段と、
を有することを特徴とする電子カメラ。
【請求項２】
請求項１記載の電子カメラにおいて、
前記露光条件は、露光時間、露光感度であることを特徴とする電子カメラ。
【請求項３】
請求項１または請求項２記載の電子カメラにおいて、
前記検出手段は、前記予備撮影において所定時間をおいて２つの画像を取得し、両者の被写体像の位置の差から前記撮像素子上での被写体の動きを検出することを特徴とする電子カメラ。
【請求項４】
請求項１または請求項２記載の電子カメラにおいて、
前記検出手段は、前記予備撮影において所定時間の撮影を行うことで得られた移動軌跡から前記撮像素子上での被写体の動きを検出することを特徴とする電子カメラ。
【請求項５】
請求項４記載の電子カメラにおいて、
前記予備撮影中に絞り値を変化させることを特徴とする電子カメラ。
【請求項６】
請求項１ないし請求項５のいずれか１項記載の電子カメラにおいて、
前記予備撮影の露光感度を最高感度にすることを特徴とする電子カメラ。
【発明の詳細な説明】
【技術分野】
【０００１】
本発明は、電子カメラに関する。
【背景技術】
【０００２】
従来、流し撮りの撮影では、予備撮影により被写体の移動量を予め求めておき、本撮影時に求められた移動量に基づいて補正レンズを移動して背景を流し撮りする技術が知られている。
【特許文献１】特開２００６−２４６３５４号公報
【発明の開示】
【発明が解決しようとする課題】
【０００３】
しかしながら、このような技術を天体の撮影に利用しようとすると、被写体の移動量を求めるための予備撮影を確実に行うことが困難であるという問題があった。すなわち、星は、非常に暗く、本撮影には、例えば２分程度の露光時間が必要になり、予備撮影にも比較的長い時間が必要になる。そして、予備撮影を必要最小限の時間で確実に行うためには、天体の撮影に習熟する必要があり、初心者にとって予備撮影を確実に行うことは困難であった。
【０００４】
本発明は、かかる事情に対処してなされたもので、予備撮影を短い時間で確実に行うことができる電子カメラを提供することを目的とする。
【課題を解決するための手段】
【０００５】
第１の発明の電子カメラは、撮影光学系による被写体像を光電変換して画像信号を生成する撮像素子と、前記撮像素子上の被写体像を前記撮像素子に対して相対移動させる像移動手段と、本撮影前に予備撮影を行い前記撮像素子上での被写体の動きを検出する検出手段と、前記本撮影時に前記検出手段の検出結果に基づいて前記被写体の動きを相殺するように前記像移動手段により前記撮像素子上の被写体像を移動させる補正手段と、前記本撮影の露光条件の設定により前記予備撮影の露光条件を自動的に設定する設定手段とを有することを特徴とする。
【０００６】
第２の発明の電子カメラは、第１の発明の電子カメラにおいて、前記露光条件は、露光時間、露光感度であることを特徴とする。
【０００７】
第３の発明の電子カメラは、第１または第２の発明の電子カメラにおいて、前記検出手段は、前記予備撮影において所定時間をおいて２つの画像を取得し、両者の被写体像の位置の差から前記撮像素子上での被写体の動きを検出することを特徴とする。
【０００８】
第４の発明の電子カメラは、第１または第２の発明の電子カメラにおいて、前記検出手段は、前記予備撮影において所定時間の撮影を行うことで得られた移動軌跡から前記撮像素子上での被写体の動きを検出することを特徴とする。
【０００９】
第５の発明の電子カメラは、第４の発明の電子カメラにおいて、前記予備撮影中に絞り値を変化させることを特徴とする。
【００１０】
第６の発明の電子カメラは、第１ないし第５のいずれか１の発明の電子カメラにおいて、前記予備撮影の露光感度を最高感度にすることを特徴とする電子カメラ。
【発明の効果】
【００１１】
本発明では、予備撮影を短い時間で確実に行うことができる。
【発明を実施するための最良の形態】
【００１２】
以下、本発明の実施形態を図面を用いて詳細に説明する。
(第１の実施形態)
図１は、本発明の電子カメラの第１の実施形態の構成を示すブロック図である。
【００１３】
電子カメラは、撮影光学系１１、撮影レンズ駆動部１２、揺動センサ部１３、像ぶれ補正レンズ１４、補正レンズ駆動部１５、絞り１６、絞り駆動部１７、ＡＦセンサ１８、ＡＥセンサ１９、撮像素子２０、アナログ信号処理部２１、タイミングジェネレータ(ＴＧ)２３、デジタル信号処理部２５、画像処理部２７、バッファメモリ２９、記録Ｉ／Ｆ３１、ＣＰＵ３３、フラッシュメモリ３５、モニタ駆動部３７、モニタ３９、操作部４１、バス４３を有している。
【００１４】
デジタル信号処理部２５、画像処理部２７、バッファメモリ２９、記録Ｉ／Ｆ３１、ＣＰＵ３３、フラッシュメモリ３５、モニタ駆動部３７はバス４３を介してそれぞれ接続されている。また、揺動センサ部１３、ＡＦセンサ１８、ＡＥセンサ１９、ＴＧ２３、操作部４１は、それぞれＣＰＵ３３と接続されている。
【００１５】
撮影光学系１１は、ズームレンズ１１ａと、合焦位置調節用のフォーカシングレンズ１１ｂとを含む複数のレンズ群で構成されている。撮影光学系１１を構成する各レンズは、撮影レンズ駆動部１２によって光軸方向に駆動調整される。絞り１６は、撮像素子２０に入射する単位時間当たりの光量を調整する。絞り１６の開口量はＣＰＵ３３の指示に応じて絞り駆動部１７が調整する。
【００１６】
揺動センサ部１３は、電子カメラの縦揺れを検出する縦方向角度センサと、電子カメラの横揺れを検出する横方向角度センサとを備えている。揺動センサ部１３は、電子カメラの揺れを示すカメラ揺動データをＣＰＵ３３に出力する。このカメラの揺動データは、像ぶれ補正レンズ１４の移動量の演算に使用される。
【００１７】
像ぶれ補正レンズ１４は光軸直角方向に揺動可能に構成されている。補正レンズ駆動部１５は、像ぶれ補正レンズ１４を縦方向に揺動させる縦揺動手段と、像ぶれ補正レンズ１４を横方向に揺動させる横揺動手段とで構成される。補正レンズ駆動部１５は、ＣＰＵ３３が演算した像ぶれ補正レンズ１４の移動量に基づいて、像ぶれ補正レンズ１４を揺動させて補正を実行する。
【００１８】
ＡＦセンサ１８は、撮影光学系１１の焦点検出状態を検出しＣＰＵ３３に出力する。ＡＥセンサ１９は、被写体の輝度を測定しＣＰＵ３３に出力する。
【００１９】
撮像素子２０は、撮影光学系１１を通過した光束を光電変換して被写体像のアナログ画像信号を生成する。撮像素子２０はレリーズ時に本画像を撮影する。撮像素子２０は、非レリーズ時（撮影待機時）にも所定間隔毎に被写体を露光し、間引き読み出しによるアナログ画像信号（スルー画像信号）を出力する。スルー画像のデータは、モニタ３９での画像表示などに使用される。
【００２０】
アナログ信号処理部２１は、撮像素子２０の出力に対してアナログ信号処理を施すアナログフロントエンド回路(ＡＦＥ)である。アナログ信号処理部２１は、相関二重サンプリングや、画像信号のゲインの調整や、画像信号のＡ／Ｄ変換を行う。アナログ信号処理部２１の出力はデジタル信号処理部２５に接続されている。
【００２１】
ＴＧ２３は、ＣＰＵ３３の指示に基づいて、撮像素子２０およびアナログ信号処理部２１に対してタイミングパルスを供給する。撮像素子２０およびアナログ信号処理部２１の駆動タイミングは、ＴＧ２３のタイミングパルスによって制御される。
【００２２】
デジタル信号処理部２５は、アナログ信号処理部２１から順次入力されるデジタル画像信号に対して、欠陥画素補正や黒レベルのオフセット補正などの信号処理を施すデジタルフロントエンド回路(ＤＦＥ)である。なお、多チャンネル出力を行う撮像素子２０を用いる電子カメラでは、各チャンネルから出力された画像信号の並べ替えがデジタル信号処理部２５で行われる。
【００２３】
画像処理部２７は、１フレーム分のデジタル画像信号に対して、各種の画像処理(色補間処理、階調変換処理、輪郭強調処理、ホワイトバランス調整など)を施す。また、画像処理部２７は、ＣＰＵ３３の指示によりスルー画像のデータからモニタ３９の表示用画像(ビュー画像)を生成する。さらに、画像処理部２７は、本画像のデータをＪＰＥＧ形式で圧縮する処理や、圧縮された撮影画像データを伸長復元する処理も実行する。
【００２４】
バッファメモリ２９は、各種画像処理の前工程や後工程で本画像のデータなどを一時的に記録する。
【００２５】
記録Ｉ／Ｆ３１には、記録媒体４５を接続するためのコネクタが形成されている。記録Ｉ／Ｆ３１は、コネクタに接続された記録媒体４５に対してデータの書き込み／読み込みを実行する。記録媒体４５は、ハードディスクや、半導体メモリを内蔵したメモリカードなどで構成される。図１では記録媒体４５の一例としてメモリカードを図示する。
【００２６】
ＣＰＵ３３は、電子カメラの統括的な制御を行うプロセッサである。ＣＰＵ３３は所定のシーケンスプログラムに従って電子カメラの各部動作を制御するとともに、撮影時に必要となる各種演算(ＡＦ時のデフォーカス量の演算、ＡＥ演算など)を実行する。
【００２７】
フラッシュメモリ３５は、画像処理部２７による画像処理後の画像データを記憶する。
【００２８】
モニタ駆動部３７は、ＣＰＵ３３の指示に基づいて駆動信号を出力することでモニタ３９の表示を制御する。モニタ３９は、例えば液晶モニタで構成されている。モニタ３９には、スルー画像に基づくビュー画像が表示可能とされる。モニタ３９には、ＧＵＩ(Graphical User Interface)形式で各種の設定項目の入力が可能なメニュー画面が表示可能とされる。
【００２９】
モニタ３９のメニュー画面では、ユーザーが撮影モードメニューを選択できる。撮影モードメニューには、星座モードが設けられている。星座モードの選択により予め定められたプログラムが開始され、星座の撮影が行われる。
【００３０】
操作部４１は、レリーズ釦４７、操作釦４９を有している。レリーズ釦４７は、半押し操作によるＡＦなどの指示入力と、全押し操作によるレリーズ指示(露光開始の指示)の入力とをユーザーから受け付ける。操作釦４９は、例えばコマンドダイヤル、十字状のカーソルキー、決定釦などで構成される。操作釦４９は、電子カメラのモード切替操作や、メニュー画面上での入力操作などをユーザーから受け付ける。
【００３１】
図２は、上述した電子カメラの撮影モードメニューで星座モードが選択された時の動作を説明するフローチャートである。
【００３２】
ステップＳ１：ＣＰＵ３３は、本撮影の露光条件を入力するようにモニタ３９に表示する。本撮影の露光条件は、本撮影時の露光時間(以下本露光時間という)および本撮影時の露光感度(以下本露光感度という)により設定される。カメラへの入力は、例えばメニュー画面上で本露光時間および本露光感度を入力することにより行われる。
【００３３】
ステップＳ２：ＣＰＵ３３は本撮影の露光条件が入力されたか否かを判定する。なお、所定時間内に入力されない場合には星座モードの選択を解除する。
【００３４】
ステップＳ３：本撮影の露光条件が入力された場合には、ＣＰＵ３３は、予備撮影の露光条件を設定する。予備撮影の露光条件は、予備撮影の露光時間(以下予備露光時間という)および予備露光時の露光感度(以下予備露光感度という)により設定される。
【００３５】
この実施形態では、予備露光感度には、カメラで設定可能な最大感度が設定される。そして、次式を用いて予備露光時間を設定する。
【００３６】
本露光時間(ＴＶmain)×本露光感度(ＳＶmain)
＝係数(ｋ)×予備露光時間(ＴＶsub)×設定可能な最大感度(ＳＶmax)
ここで、係数(ｋ)は、予め求められた値である。係数(ｋ)の値は、予備露光時間ができるだけ短くなるように実験等により求められる。ステップＳ２において本露光時間と本露光感度が入力されると、上述した式に基づいて予備露光時間(ＴＶsub)が求められる。
【００３７】
この実施形態では、図３に示すように、１回目の予備露光(以下予備露光１という)と２回目の予備露光(以下予備露光２という)が行われる。従って、予備露光１、２の予備露光時間(ＴＶsub)の設定とともに、予備露光１、２の時間間隔Ｔが設定される。予備露光１、２の時間間隔Ｔは、撮像された被写体の位置を確実に検出できる最も短い時間に設定される。
【００３８】
ステップＳ４：ＣＰＵ３３はレリーズ釦４７が全押しされたか否かを判定する。なお、所定時間内に全押しされない場合には星座モードの選択を解除する。
【００３９】
ステップＳ５：レリーズ釦４７が全押しされた場合には、露光感度をカメラで設定可能な最大感度に設定する。
【００４０】
ステップＳ６：予備露光１を行う。この予備露光１は、カメラで設定可能な最大感度で、ステップＳ３で述べた予備露光時間(ＴＶsub)行われる。
【００４１】
ステップＳ７：ＣＰＵ３３は所定時間Ｔが経過したか否かを判定する。この所定時間Ｔは、図３に示すように、予備露光１の終了から予備露光２の開始までの時間Ｔである。
【００４２】
ステップＳ８：所定時間が経過した場合には、予備露光２を行う。予備露光２は、予備露光１と同様に、カメラで設定可能な最大感度で、ステップＳ３で述べた予備露光時間(ＴＶsub)行われる。
【００４３】
ステップＳ９：ＣＰＵ３３は、予備露光１、２に基づいて星からなる被写体の移動ベクトルを演算する。予備露光１、２により撮像素子２０に撮像された被写体の像は、例えば図４に示すようになる。符号１は予備露光で撮像された被写体の像を、符号２は予備露光で撮像された被写体の像を示している。この実施形態では、カメラは三脚等に固定されており、星座の撮影中はカメラ自身が移動することはない。また、予備露光１と予備露光２との間には、像ぶれ補正レンズ１４は中心位置に固定されている。従って、図４において被写体の像１と被写体の像２とを結び、被写体の像２方向に矢符を設けたベクトルＶは、被写体の移動ベクトルになる。そして、この移動ベクトルをＸ、Ｙ方向に分解し、上述した予備露光時間(ＴＶsub)から露光時間ｔを引いた時間で除算することにより単位時間あたりの被写体のＸ、Ｙ方向の移動量Ｖｘ／ｔ、Ｖｙ／ｔを求めることができる。
【００４４】
ステップＳ１０：ＣＰＵ３３は、本撮影の露光条件を設定する。本撮影の露光条件は、ステップＳ２で入力された本露光時間および本露光感度に設定される。
【００４５】
ステップＳ１１：ＣＰＵ３３は、本露光を開始する。
【００４６】
ステップＳ１２：ＣＰＵ３３は、本露光の開始と同時に、像ぶれ補正レンズ１４を補正レンズ駆動部１５を介して駆動する。像ぶれ補正レンズ１４は、撮像素子２０上の被写体の像の移動を相殺するように移動される。すなわち、像ぶれ補正レンズ１４は、撮像素子２０上の被写体の像が、ステップＳ９で求められた単位時間あたりの被写体のＸ、Ｙ方向の移動量Ｖｘ／ｔ、Ｖｙ／ｔとなるように、かつ、ステップＳ９で求められた移動ベクトルの矢符方向と反対方向に移動するように駆動される。
【００４７】
ステップＳ１３：ＣＰＵ３３は、本露光を終了する。ステップＳ２で入力された本露光時間になったところで露光を終了する。
【００４８】
ステップＳ１４：ＣＰＵ３３は、本撮影で撮影された画像をフラッシュメモリに保存する。
【００４９】
上述した電子カメラでは、本撮影の露光条件の設定により、予備撮影の露光条件を予め求められた式に基づいて自動的に設定するようにしたので、予備撮影を短い時間で確実に行うことができる。
(第２の実施形態)
第２の実施形態の電子カメラは、第１の実施形態の電子カメラと略同様に構成されているため図示を省略する。なお、この実施形態において第１の実施形態と同一の要素には同一の符号を付して詳細な説明を省略する。
【００５０】
図５は、電子カメラの撮影モードメニューで星座モードが選択された時の動作を説明するフローチャートである。
【００５１】
ステップＳ１：ＣＰＵ３３は、本撮影の露光条件を入力するようにモニタ３９に表示する。本撮影の露光条件は、本露光時間および本露光感度により設定される。カメラへの入力は、例えばメニュー画面上で本露光時間および本露光感度を入力することにより行われる。
【００５２】
ステップＳ２：ＣＰＵ３３は本撮影の露光条件が入力されたか否かを判定する。なお、所定時間内に入力されない場合には星座モードの選択を解除する。
【００５３】
ステップＳ３：本撮影の露光条件が入力された場合には、ＣＰＵ３３は、予備撮影の露光条件を設定する。予備撮影の露光条件として、予備露光時間および予備露光感度が設定される。予備露光感度には、カメラで設定可能な最大感度が設定される。
【００５４】
予備露光時間は、次式を用いて設定される。
【００５５】
本露光時間(ＴＶmain)×本露光感度(ＳＶmain)
＝係数(ｋ’)×予備露光時間(ＴＶsub)×設定可能な最大感度(ＳＶmax)
ここで、係数(ｋ’)は、予め求められた値である。係数(ｋ’)の値は、予備露光時間ができるだけ短くなるように実験等により求められる。ステップＳ２において本露光時間と本露光感度が入力されると、上述した式に基づいて予備露光時間(ＴＶsub)が求められる。この実施形態では、予備露光は１回であり、予備露光時間(ＴＶsub)の間連続して露光が行われる。
【００５６】
ステップＳ４：ＣＰＵ３３はレリーズ釦４７が全押しされたか否かを判定する。なお、所定時間内に全押しされない場合には星座モードの選択を解除する。
【００５７】
ステップＳ５：レリーズ釦４７が全押しされた場合には、露光感度をカメラで設定可能な最大感度に設定する。
【００５８】
ステップＳ６：ＣＰＵ３３は、絞り１６を開放絞り１６に設定する。
【００５９】
ステップＳ７：ＣＰＵ３３は、予備露光を開始する。この予備露光は、カメラで設定可能な最大感度で、ステップＳ３で求められた予備露光時間(ＴＶsub)行われる。
【００６０】
ステップＳ８：ＣＰＵ３３は、予備露光の開始と同時に絞り１６を小さくする。この実施形態では、絞り１６が順次絞られる。なお、段階的に絞るようにしても良い。これにより被写体の移動方向を容易，確実に検出することが可能になる。
【００６１】
ステップＳ９：ＣＰＵ３３は所定時間が経過したか否かを判定する。この所定時間は、被写体の移動量を確実に測定できる最も短い時間に予め設定されている。すなわち、所定時間を短くするほど予備撮影時間を短くすることができる。しかしながら、短くすると移動ベクトルの大きさが小さくなり正確な移動量を求めることができなくなる。従って、被写体の移動量を確実に測定できる最も短い時間に予め設定されている。
【００６２】
ステップＳ１０：予備露光を終了する。
【００６３】
ステップＳ１１：ＣＰＵ３３は、予備露光に基づいて被写体の移動ベクトルを演算する。予備露光により撮像素子２０に撮像された被写体の像は、例えば図６に示すようになる。符号Ｓは予備露光の開始時に撮像された被写体の像を、符号Ｆは予備露光の終了時に撮像された被写体の像を示している。この実施形態では、カメラは三脚等に固定されており、星座の撮影中はカメラ自身が移動することはない。また、予備露光の間は、像ぶれ補正レンズ１４は中心位置に固定されている。従って、図６において被写体の像Ｓと被写体の像Ｆとを結び、小さい被写体の像Ｆ方向に矢符を設けたベクトルＶは、被写体の移動ベクトルになる。そして、この移動ベクトルをＸ、Ｙ方向に分解し、予備露光を行った予備露光時間(ＴＶsub)で除算することにより単位時間あたりの被写体のＸ、Ｙ方向の移動量Ｖｘ／ｔ、Ｖｙ／ｔを求めることができる。
【００６４】
ステップＳ１２：ＣＰＵ３３は、本撮影の露光条件を設定する。本撮影の露光条件は、ステップＳ２で入力された本露光時間および本露光感度に設定される。
【００６５】
ステップＳ１３：ＣＰＵ３３は、本露光を開始する。
【００６６】
ステップＳ１４：ＣＰＵ３３は、本露光の開始と同時に、像ぶれ補正レンズ１４を補正レンズ駆動部１５を介して駆動する。像ぶれ補正レンズ１４は、撮像素子２０上の被写体の像の移動を相殺するように移動される。すなわち、像ぶれ補正レンズ１４は、撮像素子２０上の被写体の像が、ステップＳ１１で求められた単位時間あたりの被写体のＸ、Ｙ方向の移動量Ｖｘ／ｔ、Ｖｙ／ｔとなるように、かつ、ステップＳ１１で求められた移動ベクトルの矢符方向と反対方向に移動するように駆動される。
【００６７】
ステップＳ１５：ＣＰＵ３３は、本露光を終了する。ステップＳ２で入力された本露光時間になったところで露光を終了する。
【００６８】
ステップＳ１６：ＣＰＵ３３は、本撮影で撮影された画像をフラッシュメモリに保存する。
【００６９】
この実施形態の電子カメラでは、第１の実施形態と同様の効果を得ることができる。
(変形例)
この変形例の電子カメラは、第１の実施形態の電子カメラと略同様に構成されているため図示を省略する。なお、この変形例において第１の実施形態と同一の要素には同一の符号を付して詳細な説明を省略する。
【００７０】
図７は、電子カメラの撮影モードメニューで星座モードが選択された時の動作を説明するフローチャートである。
【００７１】
ステップＳ１：ＣＰＵ３３はレリーズ釦４７が全押しされたか否かを判定する。なお、所定時間内に全押しされない場合には星座モードの選択を解除する。
【００７２】
ステップＳ２：レリーズ釦４７が全押しされた場合には、露光感度をカメラで設定可能な最大感度に設定する。
【００７３】
ステップＳ３：ＣＰＵ３３は、絞り１６を開放絞りに設定する。
【００７４】
ステップＳ４：ＣＰＵ３３は、予備露光を開始する。この予備露光は、カメラで設定可能な最大感度で、かつ、予め設定されている所定時間行われる。この所定時間は、被写体の移動量を確実に測定できる最も短い時間に予め設定されている。
【００７５】
ステップＳ５：ＣＰＵ３３は、予備露光の開始と同時に絞り１６を小さくする。この実施形態では、絞り１６が順次絞られる。
【００７６】
ステップＳ６：ＣＰＵ３３は所定時間が経過したか否かを判定する。
【００７７】
ステップＳ７：予備露光を終了する。
【００７８】
ステップＳ８：ＣＰＵ３３は、予備露光に基づいて複数の被写体の移動ベクトルを演算する。
【００７９】
ステップＳ９：ＣＰＵ３３は、移動ベクトルに基づいて本撮影の露光条件を設定する。予備露光により撮像素子２０に撮像された複数の被写体の像は、例えば図８に示すようになる。撮像素子２０の中央、左上、右下の領域には、被写体の像が存在する。中央の被写体の像の移動ベクトルの大きさはＶ１、左上の被写体の像の移動ベクトルの大きさはＶ２、右下の被写体の像の移動ベクトルの大きさはＶ３となっている。そして、北の方位に位置する中央の被写体の像の移動ベクトルの大きさは移動ベクトルＶ２、Ｖ３の大きさに比較して小さなものになっている。このような場合に、一番大きい移動ベクトルＶ３に基づいて他の被写体の像に対して同一の補正を行うと中央の被写体の像が撮像素子２０上で大きく移動することになる。
【００８０】
そこで、この実施形態では、複数の移動ベクトルのうち一番大きい移動ベクトルＶ３に基づいて本撮影の露光条件が設定される。すなわち、この実施形態では、図９に示すように、一番大きい移動ベクトルの大きさの値に対応して本露光時間、本露光感度がテーブルとして設定されている。このテーブルは、Ａ１，Ａ２、…Ａｎの順で移動ベクトルが大きくなっている。そして、移動ベクトルの大きさが大きくなると、本露光時間が小さくなるように設定されている。例えば一番大きい移動ベクトルがＡ２の時には、本露光時間はＢ２となる。
【００８１】
ステップＳ１０：ＣＰＵ３３は、本露光を開始する。
【００８２】
ステップＳ１１：ＣＰＵ３３は、本露光の開始と同時に、像ぶれ補正レンズ１４を補正レンズ駆動部１５を介して駆動する。
【００８３】
ステップＳ１２：ＣＰＵ３３は、本露光を終了する。ステップＳ９で設定された本露光時間になったところで露光を終了する。
【００８４】
ステップＳ１３：ＣＰＵ３３は、本撮影で撮影された画像をフラッシュメモリ３５に保存する。
【００８５】
この変形例では、予備撮影に基づいて本撮影の露光条件を設定するようにしたので、本撮影を確実に行うことができる。
(実施形態の補足事項)
以上、本発明を上述した実施形態によって説明してきたが、本発明の技術的範囲は上述した実施形態に限定されるものではなく、例えば、以下のような形態でも良い。
【００８６】
(１)上述した実施形態では、像ぶれ補正レンズ１４を駆動して撮像素子２０上の被写体像を移動した例について説明したが、例えば撮像素子２０を移動するようにしても良い。
【００８７】
(２)上述した実施形態では、移動ベクトルを直線状に近似した例について説明したが、例えば被写体の像の移動に沿って移動ベクトルを設定するようにしても良い。
【００８８】
(３)上述した実施形態では、本発明を星座の撮影に適用した例について説明したが、必要により他の撮影にも広く適用することができる。
【図面の簡単な説明】
【００８９】
【図１】本発明の電子カメラの第１の実施形態を示す説明図である。
【図２】図１の電子カメラの動作を示す説明図である。
【図３】予備露光１と予備露光２の関係を示す説明図である。
【図４】移動ベクトルを示す説明図である。
【図５】本発明の電子カメラの第２の実施形態を示す説明図である。
【図６】移動ベクトルを示す説明図である。
【図７】本発明の電子カメラの変形例を示す説明図である。
【図８】移動ベクトルを示す説明図である。
【図９】移動ベクトルのテーブルを示す説明図である。
【符号の説明】
【００９０】
１１…撮影光学系、１４…像ぶれ補正レンズ、１５…補正レンズ駆動部、１６…絞り、３３…ＣＰＵ。
【図１】
2010147661.tif 000003
【図２】
2010147661.tif 000004
【図３】
2010147661.tif 000005
【図４】
2010147661.tif 000006
【図５】
2010147661.tif 000007
【図６】
2010147661.tif 000008
【図７】
2010147661.tif 000009
【図８】
2010147661.tif 000010
【図９】
2010147661.tif 000011